【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
始動手段が遊技球を検出したことを契機に、所定の遊技情報を取得する取得手段と、
前記取得手段により取得された遊技情報に基づき、当りに関する抽選を実行する抽選手段と、
遊技図柄の変動表示動作を行い、当該遊技図柄の停止表示態様により前記抽選手段による抽選結果を表示するための図柄表示手段と、
前記取得手段により取得された前記遊技情報を、前記図柄表示手段における前記遊技図柄の変動表示動作に供されるまで、あらかじめ定めた最大保留記憶個数を上限として保留記憶する保留記憶手段と、
前記保留記憶手段に前記遊技情報が保留記憶された場合、その旨を所定の保留表示態様により報知する保留表示手段と、
前記保留記憶に基づく前記遊技図柄の変動表示動作が実行される前に、少なくとも前記抽選手段による抽選結果を先読み判定する先読み判定手段と、
前記先読み判定手段による先読み判定結果に関連する先読み情報を前記保留表示手段に表示される保留表示態様を利用して表示制御可能に構成された保留表示制御手段と、
を備える遊技機において、
前記保留表示手段は、
前記保留記憶手段の保留記憶のそれぞれに対応する前記保留表示態様を個別に表示可能に構成され、
前記保留表示制御手段は、
前記保留表示手段に複数の保留表示態様が表示されているときに所定の実行条件が成立した場合、当該複数の保留表示態様の少なくとも１つについて、現在の保留表示態様よりも前記当りの当選期待度が相対的に高いことを示唆する他の保留表示態様として、通常の保留表示態様の大きさよりも大きい保留表示態様に変更表示しうる保留変更表示を実行するか否かを決定する保留変更表示決定手段と、
前記保留変更表示を実行制御する保留変更表示制御手段と、を備え、
前記保留変更表示制御手段は、
前記保留変更表示決定手段により前記保留変更表示を実行すると決定された場合、前記保留表示手段に表示されている前記複数の保留表示態様の表示領域に跨るように他の画像を表示することにより当該複数の保留表示態様を判別困難または判別不能とする秘匿化状態に制御する秘匿化状態制御手段と、
前記秘匿化状態となっている前記複数の保留表示態様の個数が認識可能な画像を表示制御する認識表示制御手段と、
前記秘匿化状態を解除して、前記他の保留表示態様を判別可能に前記保留表示手段に表示させる解除表示制御手段と、を備える、
ことを特徴とする遊技機。
【請求項２】
始動手段が遊技球を検出したことを契機に、所定の遊技情報を取得する取得手段と、
前記取得手段により取得された遊技情報に基づき、当りに関する抽選を実行する抽選手段と、
遊技図柄の変動表示動作を行い、当該遊技図柄の停止表示態様により前記抽選手段による抽選結果を表示するための図柄表示手段と、
前記取得手段により取得された前記遊技情報を、前記図柄表示手段における前記遊技図柄の変動表示動作に供されるまで、あらかじめ定めた最大保留記憶個数を上限として保留記憶する保留記憶手段と、
前記保留記憶手段に前記遊技情報が保留記憶された場合、その旨を所定の保留表示態様により報知する保留表示手段と、
前記保留記憶に基づく前記遊技図柄の変動表示動作が実行される前に、少なくとも前記抽選手段による抽選結果を先読み判定する先読み判定手段と、
前記先読み判定手段による先読み判定結果に関連する先読み情報を前記保留表示手段に表示される保留表示態様を利用して表示制御可能に構成された保留表示制御手段と、
を備える遊技機において、
前記保留表示手段は、
前記保留記憶手段の保留記憶のそれぞれに対応する前記保留表示態様を個別に表示可能に構成され、
前記保留表示制御手段は、
前記保留表示手段に複数の保留表示態様が表示されているときに所定の実行条件が成立した場合、当該複数の保留表示態様の少なくとも１つについて、現在の保留表示態様よりも前記当りの当選期待度が相対的に高いことを示唆する他の保留表示態様に変更表示しうる保留変更表示を実行するか否かを決定する保留変更表示決定手段と、
前記保留変更表示を実行制御する保留変更表示制御手段と、を備え、
前記保留変更表示制御手段は、
前記保留変更表示決定手段により前記保留変更表示を実行すると決定された場合、前記保留表示手段に表示されている前記複数の保留表示態様の表示領域に跨るように他の画像を表示することにより当該複数の保留表示態様を判別困難または判別不能とする秘匿化状態に制御する秘匿化状態制御手段と、
前記秘匿化状態となっている前記複数の保留表示態様の個数が認識可能な画像を表示制御する認識表示制御手段と、
前記秘匿化状態を解除して、当該秘匿化状態となっている前記複数の保留表示態様を、所定の順序に従い順次開示していくように表示制御する解除表示制御手段と、を備える、
ことを特徴とする遊技機。
【請求項３】
前記解除表示制御手段は、前記保留記憶手段に保留記憶された時系列に従い、順次開示していくように表示制御する時系列的順次開示手段を備える、
ことを特徴とする請求項２に記載の遊技機。
【請求項４】
前記解除表示制御手段は、前記保留記憶手段に保留記憶された逆時系列に従い、順次開示していくように表示制御する逆時系列的優先順次開示手段を備える、
ことを特徴とする請求項２に記載の遊技機。
【請求項５】
前記解除表示制御手段は、前記秘匿化状態となっている前記複数の保留表示態様のうち、前記当選期待度が相対的に低い保留表示態様を優先的に開示していくように表示制御する期待度低保留優先順次開示手段を備える、
ことを特徴とする請求項２に記載の遊技機。
【請求項６】
前記解除表示制御手段は、前記秘匿化状態となっている前記複数の保留表示態様のうち、前記当選期待度が相対的に高い保留表示態様を優先的に開示していくように表示制御する期待度高保留優先順次開示手段を備える、
ことを特徴とする請求項２に記載の遊技機。
【請求項７】
前記解除表示制御手段は、前記秘匿化状態となっている前記複数の保留表示態様を、所定時間間隔で順次開示していくように表示制御する等間隔順次開示手段を備える、
ことを特徴とする請求項２に記載の遊技機。
【請求項８】
前記解除表示制御手段は、前記秘匿化状態となっている前記複数の保留表示態様を、異なる時間間隔で順次開示していくように表示制御する非等間隔順次開示手段を備える、
ことを特徴とする請求項２に記載の遊技機。
【請求項９】
始動手段が遊技球を検出したことを契機に、所定の遊技情報を取得する取得手段と、
前記取得手段により取得された遊技情報に基づき、当りに関する抽選を実行する抽選手段と、
遊技図柄の変動表示動作を行い、当該遊技図柄の停止表示態様により前記抽選手段による抽選結果を表示するための図柄表示手段と、
前記取得手段により取得された前記遊技情報を、前記図柄表示手段における前記遊技図柄の変動表示動作に供されるまで、あらかじめ定めた最大保留記憶個数を上限として保留記憶する保留記憶手段と、
前記保留記憶手段に前記遊技情報が保留記憶された場合、その旨を所定の保留表示態様により報知する保留表示手段と、
前記保留記憶に基づく前記遊技図柄の変動表示動作が実行される前に、少なくとも前記抽選手段による抽選結果を先読み判定する先読み判定手段と、
前記先読み判定手段による先読み判定結果に関連する先読み情報を前記保留表示手段に表示される保留表示態様を利用して表示制御可能に構成された保留表示制御手段と、
を備える遊技機において、
前記保留表示手段は、
前記保留記憶手段の保留記憶のそれぞれに対応する前記保留表示態様を個別に表示可能に構成され、
前記保留表示制御手段は、
前記保留表示手段に複数の保留表示態様が表示されているときに所定の実行条件が成立した場合、当該複数の保留表示態様の少なくとも１つについて、現在の保留表示態様よりも前記当りの当選期待度が相対的に高いことを示唆する他の保留表示態様に変更表示しうる保留変更表示を実行するか否かを決定する保留変更表示決定手段と、
前記保留変更表示を実行制御する保留変更表示制御手段と、を備え、
前記保留変更表示制御手段は、
前記保留変更表示決定手段により前記保留変更表示を実行すると決定された場合、前記保留表示手段に表示されている前記複数の保留表示態様の表示領域に跨るように他の画像を表示することにより当該複数の保留表示態様を判別困難または判別不能とする秘匿化状態に制御する秘匿化状態制御手段と、
前記秘匿化状態となっている前記複数の保留表示態様の個数が認識可能な画像を表示制御する認識表示制御手段と、
前記秘匿化状態を解除して、当該秘匿化状態となっている前記複数の保留表示態様を一斉に開示するように表示制御する解除表示制御手段と、を備える、
ことを特徴とする遊技機。